(57)【要約】【課題】  オムツに関する構造、機能、構成【解決手段】  オムツに関する発明で、該機構の構造、機能、を備えた構成の発明により、より便利で、簡易、衛生的な、身体に優しい手段を備えているオムツ。【選択図】  図２６
2011115599.tif 000002
【特許請求の範囲】
【請求項１】
身体着用時の生理用品において、該身体に関与する箇所の生理用品にクッション材を設定してクッション構造を形成したことを特徴とする生理用品。
【請求項２】
身体着用時の生理用品において、該身体に関与する箇所の生理用品に多種多様形状縁を構成して該多種多様形状縁内にクッション材を設定してクッション構造とする手段を設けたことを特徴とする生理用品。
【請求項３】
身体着用時の生理用品において、該身体に関与する箇所の生理用品にクッション材を設定してクッション構造を形成する、上記クッション構造の形態に、形状を形成するクッション構造を設けてなす手段の多層形状クッション構造の、該多層形状の相関をクッション材が流動する手段を設けたことを特徴とする生理用品。
【請求項４】
身体着用時の生理用品において、上部となる部分及び下部となる部分をそれぞれ独立部分とし該上部となる部分又は下部となる部分にクッション機能を付与する手段を設けたことを特徴とする請求項１、２、３、記載の生理用品。
【発明の詳細な説明】
【技術分野】
【０００１】
本発明はペニス、肛門、又は陰門等から排出する排出物、汚物に関する
【背景技術】
【０００２】
従来のペニス、肛門、又は陰門等から排出する排出物、汚物を処理保持する物としてオムツ、（むつき、おしめとも言う）が使われていた。オムツはパンツの様な形状で該オムツの中で便・尿をそのままで保持されていた。依って、従来のオムツは、 ペニス、肛門、又は陰門等から排出する排出物、汚物にて其れに接する身体は汚物にまみれていた。
【先行技術文献】
【特許文献】
【０００３】
【特許文献１】特開２００９−１１２８２８号公報
【特許文献２】特開２００７−１５２０８８号公報
【特許文献３】特開２００６−２６３３０７号公報
【特許文献４】特開２００３−２７５２４７号公報
【発明の概要】
【発明が解決しようとする課題】
【０００４】
依って、従来のペニス、肛門、又は陰門等から排出する排出物、汚物の器・具体類の名のオムツは上記記載の設定のオムツ（身に装着する物）で有るために、排出する排出物、汚物を一緒くたに受け手具である所のオムツを以て包囲を為し、オムツ内に排出された汚物により、オムツ内の下半身体（前横後を含む）全体部が汚物にて汚染される物であった。  其処で、現代に於いて、老人の寝たっきりの人（寝だこ発生）等の介護を必要の人、お漏らしする人、身体の動かすことが出来ない病人等々のオムツを必要とする人が多くなってきた。この従来のオムツのあり方、方法、処理の仕方に於いては、面倒であり、且つ大量な汚物の便、尿の混入する排出、及び大量汚物の保持処理には手間がかかって、又寝たっきりの人は寝だっこが出来てくる。依って介護人に依るオムツの交換から細菌、ウイルス、ばい菌等の感染が老人ホ−ムにて集団発生した状況が多くある。又通常長時間の車等にて（カンズメ）身動き出来ない状態になる際の排出手段として利用出来、又出発時に簡易に装着も可能である。
【０００５】
本発明は、以上の実状に鑑みて、それ等に対する対策を本件発明において、
為す事を目的とするものである。
【課題を解決するための手段】
【０００６】
上記目的を達成すべく、
請求項１に記載された発明では、
身体着用時の生理用品において、該身体に関与する箇所の生理用品にクッション材を設定してクッション構造を形成したことを特徴とする生理用品。
【０００７】
請求項２に記載された発明では、
身体着用時の生理用品において、該身体に関与する箇所の生理用品に多種多様形状縁を構成して該多種多様形状縁内にクッション材を設定してクッション構造とする手段を設けたことを特徴とする生理用品。
【０００８】
請求項３に記載された発明では、
身体着用時の生理用品において、該身体に関与する箇所の生理用品にクッション材を設定してクッション構造を形成する、上記クッション構造の形態に、形状を形成するクッション構造を設けてなす手段の多層形状クッション構造の、該多層形状の相関をクッション材が流動する手段を設けたことを特徴とする生理用品。
【０００９】
請求項４に記載された発明では、
身体着用時の生理用品において、上部となる部分及び下部となる部分をそれぞれ独立部分とし該上部となる部分又は下部となる部分にクッション機能を付与する手段を設けたことを特徴とする請求項１、２、３、記載の生理用品。
【００１０】
請求項１、２，３、４に記載された発明では、
図５、６、１０、１１、１２、１３、１５、１７、１８、１９、２０、２１、２２、２３、２４、２５、２６、２７、２８、２９、３０、３１を参照
尚、クッション作用をするクッション構造を形成するクッション材として、固体、液体、気体等がある。材とは材料、もと等をさす。
【００１１】
ペニス・肛門・又は陰門から排出する排泄物に関与する生理用品の該排泄物に対応する過程において、該対応する位置に交互、重合、咬合、嵌挿、嵌通、嵌脱、連通、誘導、遊動、沈着保全、又は挟持を有する仕法を設けた事を特徴とする生理用品。
【００１２】
ペニス・肛門・又は陰門から排出する排泄物に関与する生理用品の該排泄物
に対応する過程において、（例えば、該排泄物を流動する・保持する又は管理する過程において）該過程の部の生理用品に交互、重合、咬合、嵌挿、嵌通、嵌脱、連通、誘導遊動、沈着保全、又は挟持を有する手段を設けた事を特徴とする生理用品である。該過程の部の生理用品に、（例えば、該排泄物を保持する又は管理する過程に於ける、該汚物が移動又は流動する過程に於ける、該汚物を誘導する・促す過程に於ける又は、過程進行後の汚物の逆流を抑えるその仕組み・仕法又は手段とする、その過程に於ける、該過程において、下記の手段を設定する機構）交互、重合、咬合、嵌挿、嵌通、嵌脱、連通、誘導遊動、沈着保全、又は挟持の手段を設定する事を特徴とする生理用品である。
【００１３】
ペニス・肛門・又は陰門から排出する排泄物に関与して設けられた排泄物を保持する又は該処理する過程の生理用品に於いて、該排泄物を衛生的に、保全、保持する又は処理する、それ等の少なくとも何れか一つに記載が出来える事が可能とする生理用品と為す為のあり方に於ける仕法として、ペニス・肛門・又は陰門から排出する排泄物に関与する過程おける、該生理用品の手段を、交互、重合、咬合、嵌挿、嵌通、嵌脱、連通、誘導遊動、沈着保全、又は挟持を有する仕法の構成又は機能をなすを設けた事を特徴とする生理用品。（咬合とは、互いにかみ合った状態にあわせる。嵌挿とは、さしはめる。嵌通とは、通りぬはめるけるように。嵌脱とは、はめたり脱したりする。連通とは、区切られた二つの空間を通路を介してつなげる。誘導遊動とは、誘い導き自由なかたちで動く。沈着保全とは、落ち着いている保護して安全にすること。挟持とは、左右にること）
前記記載構成又は機能の少なくても何れか１つに記載の生理用品を、ペニス・肛門・又は陰門から排出する排泄物に関与する過程において該手段を有する生理用品。
【００１４】
ペニス・肛門・又は陰門より排出する下側（付近）の排泄物が該下側に排泄物が抜ける・通る様な（該排出通る仕法の位置はどこでも可能）構造であり、交互、重合、咬合、嵌挿、嵌通、嵌脱、連通、誘導遊動、沈着保全、又は挟持を有する仕法の（シ〜ト等の該仕法構造でその先はおむつ側に接し固定）形態を持ち、該仕法の形態の構造、機能にて其処が該通行孔、流動、連通又は他の形態、機能を生じて排泄物が下へ下へと流れて行く（流動を促す機構も可能）。交互、重合、咬合、嵌挿、嵌通、嵌脱、連通、誘導遊動、沈着保全、又は挟持を有する仕法の形態、機構が、弁の状態ともなる形を生じ逆流を防ぐ、状況となる構成又は機能とする。
【００１５】
又、ペニス・肛門・又は陰門から排出する排泄物に関与する生理用品の該排泄物を流動する・保持する又は管理する過程において、該過程の部の生理用品に交互、又は重合を有する仕法を設けた事を特徴とする生理用品。とする該過程の部の生理用品とは、該排泄物を流動する・保持する又は管理する過程に於ける、汚物が移動又は流動する過程において、汚物を誘導する・促す又は過程進行後の汚物の逆流を抑える、該過程の部にその仕組み・仕法又は手段をその過程の部に構成する又は機能構造の交互、又は重合を設定する事を特徴とする生理用品である。
【００１６】
ペニス・肛門・又は陰門から排出する排泄物に関与して設けられた排泄物を保持する又は該処理する生理用品に於いて、該排泄物を衛生的に、保全、安全に、保持する又は処理する、それ等の少なくとも何れか一つに記載が出来える事が可能とする生理用品と為す為のあり方に於ける仕法として、ペニス・肛門・又は陰門から排出する排泄物に関与する過程において、該生理用品の手段を、交互、いりち（入り違い）、又は重合とする仕法の構成又は機能となす。交互、いりち（入り違い）、又は重合とする仕法の構成、機能より下方に排泄物を流動を促し、更に下に向かった流動後の排泄物はその下に設定する受け体、具又は袋の生理用品にて排泄物を保持、又は管理する機能、構造を設けた事を特徴とする生理用品で有る。尚、該構成の機能より下方に排泄物を流動を促し、流動に際して、交互、いりち（入り違い）、又は重合とする仕法の構造、機能は弁類似構造と為して排泄物の逆流を防ぐ一つの機構と為す。
【００１７】
尚、交互、いりち（入り違い）、又は重合とする仕法の構成、機能の逆先端は生理用品に装着等して固定を計る事が望ましい。又請求項全項に渡り脇・腰・股間前後等その他の部所に開閉自由な構造・機能（多数を設定するも可）を設定して、該生理用品の取り外し・取り付け又は部分を装着・脱着が（ユニット化）出来る事により、生理用品又は汚物の交換は、簡易作業で衛生的且つ楽な交換が出来る。該構造の例として欠切機能（スリット）・装着脱着付機能（重ね方式・上下係着・マジックテープ（登録商標））等も可能。（図１・２参照）（図１・２・３・４・５・６・７・８参照）
ペニス・肛門・又は陰門から排出する排泄物に関与する生理用品に於いて、該生理用品を多重層とする仕法の構造、又は該機能と為す、該多重層とする仕法の構造、又は該機能は、該多重層に形状を設定する・該多重層に固体、液体、又は気体を設定する・該多重層の形状に固体、液体、又は気体を設定する・該多重層に流動、連動又は連通する形状を形成設定する・該多重層に柔軟変化する形状を設定する・該多重層にクッション形状を設定する、又は該多重層を固定する形状を設定する事を特徴とする生理用品 。
【００１８】
ペニス・肛門・又は陰門から排出する排泄物に対応する生理用品に於いて、該生理用品を多重層とする仕法の構造又は機能と為す、該多重層に固体、液体、又は気体を設定・該多重層に形状を設定・該多重層内に流動形成する形状を設定・該多重層に柔軟変化する形状を設定・該多重層にクッション形状を設定、又は該多重内を拘束或いは固定する形状を設定して、身体、汚物又は他の生理用品に対応する仕法を有する事をする生理用品 。詰まり、ペニス・肛門・又は陰門から排出する排泄物に対応する生理用品に於いて、該生理用品を多重層とする仕法の構造又は機能と為す該多重層（例えば、多重層の面、段階、外部、内部又はその他の部分、形状）に固体、液体、又は気体を設定（設定とは例えば、挿入する、入れて、貼付する、射付する、塗装する、吹き付ける、注入する、又はその他種々の方法を指す）して、身体、汚物又は他の生理用品に対応する為の手段（図５，６、１０、１１、１３、１５、１７参照）を有する事で、汚物保全、簡易使用機能、クッション構成機能搭載にて身体保護、汚物の漏れ防止にて衛生を確保又はその他種々の良好な物が得られる。（多重層とは多層又は多重とも云う事がある）
ペニス・肛門・又は陰門から排出する排泄物に関与して設けられた排泄物を保持する又は該処理する生理用品に於いて、該排泄物を衛生的に、保全、安全に、保持する又は処理する、それ等の少なくとも何れか一つに記載が出来える事が可能とする生理用品と為す為のあり方に於ける仕法として、ペニス・肛門・又は陰門から排出する排泄物に関与する過程において、該生理用品の手段を、交互、いりち（入り違い）、又は重合とする。又、咬合、嵌挿、嵌通、嵌脱、連通、誘導遊動沈着保全、又は挟持を有する仕法の構成又は機能をなすを設けた事を特徴とする生理用品の仕法を為す。該仕法の生理用品の（例えはシ〜ト、貼布等等をも含む）上面又は下面に滑動（次へと連通す、滑りやすい機能貼付機能高めて、又は目的地へ誘導とする機能又は構造の仕法も同時進行もあり得る）と為す機能構成を設ける。該事項機能構成は、気体、固体、又は液体等その他を関与する方法で、誘導・連通又は滑る機能等その他の活性を為す。依って貼付、挿入、射付（吹き付ける）塗る等その他種々の方法にて為す事による該機能又は構造とする仕法は、排泄物を下方へ流動を促す事を為す該機能、構成による特徴を持ち、該流動後は該構造、機能と為す弁構造にて排泄物の逆流を防ぎ、排泄物は袋構成の中に収納される。
（図３・４参照）（図５・６・１０・１１・１２・１３・１５・１７・ １８・１９・２０・２１・２２・２３・２４、２５・２８・２９・参照）
ペニス・肛門・又は陰門から排出する排泄物に関与する生理用品に於いて、該生理用品を多重層機構とする、該機構に取り付け・取り外し・開閉・分離・分解・合成・付着・係止・当着・当設・当接・剥離・保持・保管・又は持着する手段を設ける事を特徴とする生理用品。
【００１９】
ペニス・肛門・又は陰門から排出する排泄物に関与する過程における、,該排泄物を受け具又は保持に対応する袋体等その他（部分）該所持の箇所を切り離して処理する又は多重層の袋体・層の部分を剥離してその部分を取り除く特徴を持つ
（参照  図１〜３１の内、図２２・３１参照注）
請求項１，２又は３項の少なくとも何れか１つに記載の生理用品において,該生理用品の排泄物を流動させる機能又は構造に対応する位置に滑動、連通、貼付、誘導、蛇腹、分離又は分散する手段を設ける事を特徴とする生理用品。
【００２０】
ペニス・肛門・又は陰門から排出する排泄物に関与して設けられた排泄物を保持する又は該処理する生理用品に於いて、該排泄物を衛生的に、保全、安全に、保持する又は処理する、それ等の少なくとも何れか一つに記載が出来える事が可能とする生理用品と為す為のあり方に於ける仕法として、ペニス・肛門・又は陰門から排出する排泄物に関与する過程において、該生理用品の手段を、交互、いりち（入り違い）、又は重合とする。又、咬合、嵌挿、嵌通、嵌脱、連通、誘導遊動沈着保全、又は挟持を有する仕法の構成又は機能をなすを設けた事を特徴とする生理用品の仕法を為す。該仕法の生理用品の（例えばシート、貼布等等をも含む）上面又は下面に滑動（次へと連通す、滑りやすい機能貼付機能高めて、又は目的地へ誘導とする機能又は構造の仕法も同時進行もあり得る）と為す機能構成を設ける。該事項機能構成は、気体、固体、又は液体等その他を関与する方法で、誘導・連通又は滑る機能等その他の活性を為す。依って貼付、挿入、射付（吹き付ける）塗る等その他種々の方法にて為す事による該機能又は構造とする仕法は、排泄物を下方へ流動を促す事を為す該機能、構成による特徴を持ち、該流動後は該構造、機能と為す弁構造にて排泄物の逆流を防ぎ、排泄物は袋構成の中に収納される。
【００２１】
（図３・４参照）
請求項１，２、又は３項の少なくとも何れか１つに記載の生理用品において,
前記記載の生理用品に（例えば該構成をシ〜トとした時シ〜トの外面・内面上面・下面・シ〜ト自身・シ〜ト全体・シ〜トの部分に流動性素材・材料・塗料を貼付・射手等その他種々の技法にて為す）滑動、連通、貼付、又は誘導とする機能又は構造の手段を有する事を特徴とする生理用品。
【００２２】
汚物を下方へ滑らす流動させる事の為に要する上記の仕法（滑動、連通、貼付、又は誘導とする）を用いる
例えば、ペニス・肛門・又は陰門から排出する排泄物に関与して設けられた排泄物を保持する又は該処理する生理用品に於いて、該排泄物を衛生的に、保全、安全に、保持する又は処理する、それ等の少なくとも何れか一つに記載が出来える事が可能とする生理用品と為す為のあり方に於ける仕法として、ペニス・肛門・又は陰門から排出する排泄物に関与する過程において、該生理用品の手段を、咬合、嵌挿、嵌通、嵌脱、連通、誘導遊動、沈着保全、挟持、交互、いりち（入り違い）、又は重合とする仕法の構成又は機能を有し、該生理用品に対応する蛇腹の機構を所持して排泄物を蛇腹の伸縮にて対応し沢山保持可能とする。
【００２３】
又該生理用品に対応する分散する機構は排泄物を例えば尿・便等の軟弱固い柔らかい類を分散して流動し得る構造。軟弱固い柔らかい類例えば尿・便等の異なるものの移動・流れが早い遅いと異なる。該自然現象作用を利用して、ものを分ける事が出来る機能構造とする。分散処理し流動をスムースニにし汚物の安全又は保管とする（図７・８）構造となる。 （参照 図３・４・７・８・）
請求項１，２、又は３項の少なくとも何れか１つに記載の生理用品において、多重層の股に関与する箇所・股間から足股に関与する箇所、又は使用入口部分等の該生理用品に関連又は関与する部分に、襞襞（ヒダヒダ）・ギザギザ・凸凹・多重面・当着・ファスナ・挿入面・重なり面・係止面・マッジク面・開閉面又は多重線を設定する手段を設ける事を特徴とする生理用品。
【００２４】
請求項１，２、又は３項の少なくとも何れか１つに記載の生理用品において、股に関与する箇所又は股間から足股に関与する箇所又は生理用品の上部入り口部分の多重層に、襞襞（ヒダヒダ）・ギザギザ・凸凹・多重面・当着・ファスナ・挿入面・重なり面・係止面・マッジク面・開閉面又は多重線を設定する手段を設ける事を特徴とする生理用品は、例えば、股下の足股に関与する箇所の多重層に、該多重層に柔軟変化する形状を設定例えば伸び縮みするゴムを二重又は多重に設定する。該股を柔軟変化する多重のゴムにより汚物の漏れを２重に防ぐ。該前記記載手段等を、該柔軟変化する多重のゴムの間に該仕法、（襞襞（ヒダヒダ）・ギザギザ・凸凹・多重面・又は多重線）をなし汚物の吸収して又漏れを防ぐ、その二重多重内の、襞襞（ヒダヒダ）等を設定する手段を設ける事を特徴とする 。 該特徴は多重層の構成のみ為らず、普通の生理用品例えばオムツに於いても、股下の足股に関与する箇所のみに於いて、この多重層構造を為すことが出来る。該構造の多数ヒダヒダが汚物を途中シャットダウン又は吸収し、又伸び縮みするゴムの二重は、股間股下を締め付けてオムツからの汚物の漏れ・流失を防ぐ。
【００２５】
尚、請求項１，２、３，項の少なくとも何れか１つに記載の生理用品において,  保全をする、又はユニット化する、仕法を有する事を特徴とする生理用品でもある。
【００２６】
生理用品の上部入り口部分の多重層に、襞襞（ヒダヒダ）・ギザギザ・凸凹・多重面・当着・ファスナ・挿入面・重なり面・係止面・マッジク面・開閉面又は多重線を設定する手段を設けることにより、生理用品の上部入り口から汚物の漏れを防ぎ又は汚物の処理に対する処置が簡単に出来るようにする開閉面及び開閉面の汚物漏れに対する対処する防止策をこうじている。（参照   図１８・１９・２０・２１・２２・２３・２４・２８・２９・３０・３１）
請求項１，２、３、項の少なくとも何れか１つに記載の生理用品において、該生理用品にユニット化する手段を設ける事を特徴とする生理用品。
【発明の効果】
【００２７】
本発明は、この事由により汚物を簡易保持、管理、処理出来る。面倒なく、且つ大量な汚物の便、尿の排出した処理には手間がかかない。依って介護人に依るオムツの交換から細菌、ウイルス、ばい菌等の感染が少ない。又通常長時間の車等にて（カンズメ）身動き出来ない状態になる際の排出手段として利用出来、又出発時に簡易に装着も可能である。又身体に優しいクッション機能にて寝たこが生じにくい効果もある。
【図面の簡単な説明】
【００２８】
【図１】第１実施例は製品・部品の断面図
【図２】第２実施例は製品・部品の断面図
【図３】第３実施例は製品・部品の断面図
【図４】第４実施例は製品・部品の断面図
【図５】第５実施例は製品・部品の断面図
【図６】第６実施例は製品・部品の断面図
【図７】第７実施例は製品・部品の断面図
【図８】第８実施例は製品・部品の断面図
【図９】第９実施例は製品・部品の断面図
【図１０】第１０実施例は製品・部品の断面図
【図１１】第１１実施例は製品・部品の断面図
【図１２】第１２実施例は製品・部品の断面図
【図１３】第１３実施例は製品・部品の断面図
【図１４】第１４実施例は製品・部品の平面図
【図１５】第１５実施例は製品・部品の断面図
【図１６】第１６実施例は製品・部品の断面図
【図１７】第１７実施例は製品・部品の断面図
【図１８】第１８実施例は製品・部品の断面図
【図１９】第１９実施例は製品・部品の断面図
【図２０】第２０実施例は製品・部品の断面図
【図２１】第２１実施例は製品・部品の断面図
【図２２】第２２実施例は製品・部品の平面図
【図２３】第２３実施例は製品・部品の断面図
【図２４】第２４実施例は製品・部品の断面図
【図２５】第２５実施例は製品・部品の断面図
【図２６】第２６実施例は製品・部品の断面図
【図２７】第２７実施例は製品・部品の断面図
【図２８】第２８実施例は製品・部品の断面図
【図２９】第２９実施例は製品・部品の平面図
【図３０】第３０実施例は製品・部品の断面図
【図３１】第３１実施例は製品・部品の断面図
【発明を実施するための形態】
【００２９】
以下、本発明を実施するための形態を説明する（以下、実施形態という）。
なお、各実施形態を通じ、同一の部材、要素または部分には同一の符号を付して、其の説明を省略する。
【実施例１】
【００３０】
本実施例の図１は、  ペニス・肛門・又は陰門から排出する排泄物に関与して設けられた排泄物を保持する又は該処理する生理用品に於いて、該排泄物を衛生的に、保全、安全に、保持する又は処理する、それ等の少なくとも何れか一つに記載が出来える事が可能とする生理用品と為す為のあり方に於ける仕法として、ペニス・肛門・又は陰門から排出する排泄物に関与する過程において、該生理用品の手段を、交互、いりち（入り違い）、又は重合とする。又、咬合、嵌挿、嵌通、嵌脱、連通、誘導遊動沈着保全、又は挟持を有する仕法の構成又は機能をなすを設けた事を特徴とする生理用品の仕法にて為し、更におむつの脇から生じて為す存在例えばシ〜ト構造・機能の該シ〜トを交互に重なり合っている。又は咬合、嵌挿、嵌通、嵌脱、連通、誘導遊動沈着保全、又は挟持を有する仕法である。
【００３１】
ペニス・肛門・又は陰門より排出する下側（付近）の排泄物が該下側に排泄物が抜ける・通る様な（該排出通る仕法の位置はどこでも可能）構造であり、該構造は交互、いりち（入り違い）、又は重合とする更に咬合、嵌挿、嵌通、嵌脱、連通、誘導遊動沈着保全、又は挟持を有する仕法の（シ〜ト等の該仕法構造でその先はおむつ側に接し固定）形態を持ち、排泄物が排泄物の助けを受ける作用、力で該仕法の形態の構造、機能にて其処が該通行孔となし排泄物が下へ流れて行く（流動を促す）。排泄物の流動後は交互、いりち（入り違い）、又は重合とする。尚、咬合、嵌挿、嵌通、嵌脱、連通、誘導遊動沈着保全、又は挟持を有する仕法の形態が、弁の状態となり逆流を防ぐ、状況となる構成又は機能とす
更に下に向かった流動後の排泄物はその下に設定する受け体、具又は袋の生理用品にて排泄物を保持、又は保護する機能、構造を設けた事を特徴とする生理用品で有る。尚、該構造は従来のオムツの形状の両端に装着留めて、おむつの中に其れを構成しても良い。 詰まり、 本件発明の交互、いりち（入り違い）、又は重合とする。又は咬合、嵌挿、嵌通、嵌脱、連通、誘導遊動沈着保全、又は挟持を有する仕法の構成するシ〜トにて、該構成の機能より下方に排泄物を流動を促し、流動後は該構造、機能と為す弁構造にて排泄物の逆流を防ぐ一つの構造と為す。下方に排泄物を流動を促して下方した汚物を袋状の機構に収納され管理される。例えばこれを機能シ〜トとして製作し、シ〜ト其れを従来のおむつに装着すると、ユニット化とする事が出来る生理用品。
【００３２】
又前記記載のおむつの脇から生じて為す存在例えばシ〜ト構造・機能の該シ〜トを交互に重なり合っている。又は咬合、嵌挿、嵌通、嵌脱、連通、誘導遊動沈着保全、又は挟持を有する仕法である生理用品部（脇側・生理用品身体に接する側の該特徴機能の付け根部）を脱着可能な構造にして該保管汚物等を切り離す事が出来る構成とする、依ってユニット化可能である。
【実施例２】
【００３３】
本実施例の図２は、  本実施例の図１の構成を何重にでも設定して、ペニス・肛門・又は陰門から排出する排泄物に関与して設けられた排泄物の流れ誘動・保持する又は該処理するをより強行にした構造機能の生理用品である。従って、該排泄物を衛生的に、保全、安全に、保持する又は処理する事を強化した生理用品である
【実施例３】
【００３４】
本実施例の図３は、ペニス・肛門・又は陰門から排出する排泄物に関与して設けられた排泄物を保持する又は該処理する生理用品に於いて、該排泄物を衛生的に、保全、安全に、保持する又は処理する、それ等の少なくとも何れか一つに記載が出来える事が可能とする生理用品と為す為のあり方に於ける仕法として、ペニス・肛門・又は陰門から排出する排泄物に関与する過程において、該生理用品の手段を、交互、いりち（入り違い）、又は重合とする。又、咬合、嵌挿、嵌通、嵌脱、連通、誘導遊動沈着保全、又は挟持を有する仕法の構成又は機能をなすを設けた事を特徴とする生理用品の仕法を為す。該仕法の生理用品の（例えはシ〜ト、貼布等等をも含む）上面又は下面に滑動（次へと連通す、滑りやすい機能貼付機能高めて、又は目的地へ誘導とする機能又は構造の仕法も同時進行もあり得る）と為す事を、気体、固体、又は液体の、誘導又は滑る機能類を以て貼付、挿入、射付（吹き付ける）塗る等その他種々の方法にて為す事による該機能又は構造とする仕法は、排泄物を下方へ該機能、構成により流動を促す事を為す特徴を持ち、該流動後は該構造、機能と為す弁構造にて排泄物の逆流を防ぎ、排泄物は袋構成の中に収納される。
【実施例４】
【００３５】
本実施例の図４は、第３実施形態の特徴の該仕法の生理用品の（例えはシ〜ト、貼布等等をも含む）上面又は下面に滑動（次へと連通す、滑りやすい機能貼付機能高めて、又は目的地へ誘導とする機能又は構造の仕法も同時進行もあり得る）と為す事を、気体、固体、又は液体の、誘導又は滑る機能類を以て貼付、挿入、射付（吹き付ける）塗る等その他種々の方法にて為す事による該機能又は構造とする仕法により、排泄物を下方へ該機能、構成により流動を促す事を為す特徴を
多数持たせた事により該機能を高めた物である。
【実施例５】
【００３６】
本実施例の図５は、本実施例の図１に多重又は多層とする構造とした袋を設定する。該二重袋設定により汚物の流失の減少を計れる。
又該生理用品を多層（又は多重）とする仕法の構造又は機能と為す該多層の面、段階、又は内部に固定、液体、又は気体を挿入、入れて、貼付、射付、塗装、吹き付ける又はその他種々の方法の設定をして、身体、汚物又は生理用品に対応する特徴を有する生理用品 。  例えば身体、汚物又は生理用品に対応する特徴の手段の効果の一つとして、ゲル、吸収剤を設定すれば、汚物のもれを防ぐ事が可能。又気体を注入すれば衝撃を緩和できる事が可能である。又ペニス・肛門・又は陰門から排出する排泄物に関与して設けられた排泄物を保持する又は該処理する生理用品に於いて、該排泄物を衛生的に、保全、安全に、保持する又は処理する為のあり方に於ける仕法とする、該仕法において、該仕法を多重層構造と為し、該多重層構造におけるペニス・肛門・又は陰門から排出する排泄物に関与して汚物を保持廃棄処理するのみの機関過程のみと為す（尻の部分）機能部分とし、（尻の部分）該多重層構造の該汚物のみが溜まる（図１参照）所を切り離して廃棄することが出来る。  よって、該多重層構造の二重部分を切り離し再度使用する事が出来る。ユニット化により効率良く使用可能。
【実施例６】
【００３７】
本実施例の図６は、本実施例図４の形態の詳細図に該生理用品を多層（又は多重）とする仕法の構造又は機能と為す。該多層を尻の上部（腰）の箇所まで設定した図である。多層は用途に応じ色々種々に（大きく小さく浅く深く短く長く形状変化異形を指す）設定する事も出来る。
【実施例７】
【００３８】
本実施例の図７は、本実施例図１の形態の詳細図に該生理用品の構成に準じるもので、ペニス・肛門・又は陰門から排出する排泄物に関与して設けられた排泄物を保持する又は該処理する生理用品に於いて、該排泄物を衛生的に、保全、安全に、保持する又は処理する、それ等の少なくとも何れか一つに記載が出来える事が可能とする生理用品と為す為のあり方に於ける仕法として、ペニス・肛門・又は陰門から排出する排泄物に関与する過程において、該生理用品の手段を、交互、いりち（入り違い）、又は重合とする。又、咬合、嵌挿、嵌通、嵌脱、連通、誘導、遊動、沈着、保全、又は挟持を有する仕法の構成又は機能をなすを設けた事を特徴とする生理用品の仕法にて為す。
【００３９】
汚物を、ペニス・肛門・又は陰門より排出する下側（付近）の排泄物が該下側に排泄物が抜ける・通る様な（該排出通る仕法の位置はどこでも可能）構造であり、該構造は交互、いりち（入り違い）、又は重合とする更に咬合、嵌挿、嵌通、嵌脱、連通、誘導、遊動、沈着、保全、又は挟持を有する仕法の（シ〜ト等の該仕法構造でその先はおむつ側に接し固定）形態を持ち、排泄物が排泄物の助けを受ける作用、力で該仕法の形態の構造、機能にて其処が該通行孔となし排泄物が下へ流れて行く（流動を促す）。下に向かった流動後の排泄物はその下に設定する受け体、具又は袋の生理用品にて排泄物を保持、又は保護する機能、構造を設けた。
【００４０】
尚該袋体の生理用品蛇腹機能を所持して多量の汚物に対する処置能力を蛇腹の伸縮機能で拡大する。使用設定時時点は蛇腹を折り畳んでペチャンコにして加佐を低くしておく事を特徴とする生理用品。又その一例として袋の上部の中に誘導機能を設定させてある。
【実施例８】
【００４１】
本実施例の図８は、本実施例図１の形態の詳細図に該生理用品の構成に準じるもので、ペニス・肛門・又は陰門から排出する排泄物に関与して設けられた排泄物を保持する又は該処理する生理用品に於いて、該排泄物を衛生的に、保全、安全に、保持する又は処理する、それ等の少なくとも何れか一つに記載が出来える事が可能とする生理用品と為す為のあり方に於ける仕法として、ペニス・肛門・又は陰門から排出する排泄物に関与する過程において、該生理用品の手段を、交互、いりち（入り違い）、又は重合とする。又、咬合、嵌挿、嵌通、嵌脱、連通、誘導、遊動、沈着、保全、又は挟持を有する仕法の構成又は機能をなすを設けた事を特徴とする生理用品の仕法にて為す。
【００４２】
汚物を、ペニス・肛門・又は陰門より排出する下側（付近）の排泄物が該下側に排泄物が抜ける・通る様な（該排出通る仕法の位置はどこでも可能）構造であり、該構造は交互、いりち（入り違い）、又は重合とする更に咬合、嵌挿、嵌通、嵌脱、連通、誘導、遊動、沈着、保全、又は挟持を有する仕法の（シ〜ト等の該仕法構造でその先はおむつ側に接し固定）形態を持ち、排泄物が排泄物の助けを受ける作用、力で該仕法の形態の構造、機能にて其処が該通行孔となし排泄物が下へ流れて行く（流動を促す）。下に向かった流動後の排泄物はその下に設定する受け体、具又は袋の生理用品にて排泄物を保持、又は保護する機能、構造を設けた。
【００４３】
尚、該袋体の生理用品は、該袋体の中に分散形状の汚物を分散する形状を設けた構成である。ペニス・肛門・又は陰門を一対一体で覆う、おむつ形状型類似において、排泄物の便（固形）、尿（流れやすく）の特性に関与してそれぞれの該保持を分散、特性流れを分離する方法の一例である。尚袋体の下部に最終到達可能の特徴を有する製品の１つの例である。
【実施例９】
【００４４】
本実施例の図９は、製品の外面から見た箇所の１つの例である。
【実施例１０】
【００４５】
本実施例の図１０は、製品の多層構造とする構成を内面（内側、うちら）から見た箇所の１つの例である。多層構造とする構成は多機能にわたる構成を所持している。
【実施例１１】
【００４６】
本実施例の図１１は、請求項１・２項の特徴を有する製品の多層構造とする構成を内面（内側、うちら）から見た箇所の１つの例である。該多層構造とする構成の上部と下部とを区切り、又足の部分を別設定とする構造に於いて、区切って独立させた上部部分の空間に気体を挿入して、該部分に弾力性を持たせクッション機能として使用し身体に対応する和らぎにて寝だこ予防、身体への当たりを緩和安らぎ機能を生じる。又区切って独立させた下部部分の空間に吸収剤を注入して汚物の流失を防ぐ。又足の部分を別設定とする構造に於いて、該部分の空間又は二重とする面を柔軟性、伸縮性を持たせて足にフィットする構成にて足側から流れ出す汚物を多重遮断する構成である。
【００４７】
又、気体、液体、固体（クッション）のあり方は重点的に必要とする箇所に気体、液体を注入する（流動する流線の大小、太い細い線上のみの軌道だけでの設定も可）又固体を挿入する。又該過程に於いて、それ等の量を調整する機構、と該形成する。又気体、液体、固体への道、岐路の形状を設定にて身体に良好に関与出来る、当たる場所へ繋げる事が可能。
【実施例１２】
【００４８】
本実施例の図１２は、請求項１・２・３項の特徴を有する製品の多層構造とする構成を内面（内側、うちら）から見た箇所の１つの例である。該多重層構造とする構成の多重層（二重となっている箇所）の上部部分の空間に気体を挿入する事により、該部分に弾力性を持たせクッション機能として使用して、該設定は身体に対応させて為す手段を有し、身体に和らぎを与え、寝込む人の寝だこ予防となる、身体への当たりを緩和安らぎ機能を生じる。又、気体、液体、固体（クッション）のあり方は重点的に必要とする箇所に気体、液体を注入する（流動する流線の大小、太い細い線上のみの軌道だけでの設定も可）。
【００４９】
又は固体を貼付するか、挿入する。又該過程に於いて、それ等の量を調整する機構、又該形成する。又気体、液体、固体への道、岐路の形状を設定にて身体に良好に関与出来る、当たる場所へ繋げる事が可能。故に前側の多重層構造と後ろ側の多重層構造との機能使用方法によってその設定とする気体、液体、固体（クッション）（漏れ）のあり方を変化させる又は区切ることが可能である。
【００５０】
又該多重層構造の部分は他の部分（下部、汚物部分）と切り離して何度も使用可能である。
【実施例１３】
【００５１】
本実施例の図１３は、請求項１・２・３項の特徴を有する製品の多層構造とする構成の１つの例である。
【００５２】
該多重層構造とする構成の多重層（二重となっている箇所）を上部・下部の部分とに分け設定し該部分より切り離す事が可能な構造である。切り離し可能該構造は三重となっていて、図５のペニス・肛門・又は陰門から排出する排泄物に関与して設けられた排泄物を保持する又は該処理する生理用品に於いて、該排泄物を衛生的に、保全、安全に、保持する又は処理する為のあり方に於ける仕法とする、該仕法において、該仕法を多重層構造と為し、該多重層構造におけるペニス・肛門・又は陰門から排出する排泄物に関与して汚物を保持廃棄処理するのみの機関過程のみと為す（尻の部分）機能部分とし、（尻の部分）該多重層構造の該汚物のみが溜まる（図１、２、５参照）所を切り離して廃棄することが出来る。よって、該多重層構造の三重部分を切り離し再度使用する事が出来る。ユニット化により効率良く使用可能。
【００５３】
上部の空間に気体を挿入する事により、該部分に弾力性を持たせクッション機能として使用して、該設定は身体に対応させて為す手段を有し、身体に和らぎを与え、寝込む人の寝だこ予防となる、身体への当たりを緩和安らぎ機能を生じる。又、気体、液体、固体（クッション）のあり方は重点的に必要とする箇所に気体、液体を注入する（流動する流線の大小、太い細い線上のみの軌道だけでの設定も可）。又は固体を貼付するか、挿入する。又該過程に於いて、それ等の量を調整する機構、又該形成する。又気体、液体、固体への道、岐路の形状を設定にて身体に良好に関与出来る、当たる場所へ繋げる事が可能。故に前側の多重層構造と後ろ側の多重層構造との機能使用方法によってその設定とする気体、液体、固体（クッション）（漏れ）のあり方を変化させる又は区切ることが可能である。
又該多重層構造の部分は他の部分（下部、汚物部分）と切り離して何度も使用可能である。
【実施例１４】
【００５４】
本実施例の図１４は、製品の構造とする構成の１つの例である。ペニス・肛門・又は陰門から排出する排泄物に関与して設けられた排泄物を保持する又は該処理する生理用品に於いて、該排泄物を衛生的に、保全、安全に、保持する又は処理する為のあり方に於ける仕法とするをペニス・肛門・又は陰門から排出する下側の陰の部分（男性）から見た構図である。
【実施例１５】
【００５５】
本実施例の図１５は、請求項１・２・３項の特徴を有する製品の多層構造とする構成の１つの例である。
【００５６】
ペニス・肛門・又は陰門から排出する排泄物に関与して設けられた排泄物を保持する又は該処理する生理用品に於いて、該排泄物を衛生的に、保全、安全に、保持する又は処理する為のあり方に於ける仕法とするをペニス・肛門・又は陰門から排出する下側の陰の部分（女性）から見た該多重層構造とする構成の多重層（二重となっている箇所）を上部（お腹・腰）・下部（排泄物を保持する部分）の部分とに分け設定し該部分より切り離す事が可能な構造の構図である。
【００５７】
又切り離し可能該構造は三重となっていて、図５のペニス・肛門・又は陰門から排出する排泄物に関与して設けられた排泄物を保持する又は該処理する生理用品
【実施例１６】
【００５８】
本実施例の図１６は、製品の構造とする構成の１つの例である。ペニス・肛門・又は陰門から排出する排泄物に関与して設けられた排泄物を保持する又は該処理する生理用品に於いて、該排泄物を衛生的に、保全、安全に、保持する又は処理する為のあり方に於ける仕法とする。図２参照のペニス・肛門・又は陰門から排出する下側の（陰）便尿を（男性）一体物として扱うものから見た生理用品構図である。
【実施例１７】
【００５９】
本実施例の図１７は、請求項１・２・３項の特徴を有する製品の多層構造とする構成の１つの例である。
【００６０】
ペニス・肛門・又は陰門から排出する排泄物に関与して設けられた排泄物を保持する又は該処理する生理用品に於いて、該排泄物を衛生的に、保全、安全に、保持する又は処理する為のあり方に於ける仕法とするをペニス・肛門・又は陰門から排出する下側の（陰）の部分（女性）で尿と便の排泄物を分けて流動、収容、保持する前記記載説明の該多重層構造とする構成、（参照図６）を見たところである。
【００６１】
尚、実施形態は、ペニス・陰門・肛門・等のペニス単体にて説明していますが、他陰門・肛門を全体としてに於いても、あてはめた実施形態を行うことが出来ます。依って、又（課題を解決するための手段）上記目的を達成すべく、請求項に記載された発明では、の項の全項の記載に於いて、ペニス・陰門・肛門に関するもの全般に関して、為す事が出来る。又（ペニス等睾丸も含む）単体代表にて説明に依る物としているが、従って他のペニス・陰門・肛門に関するもの全般に関して成すもの・あてはめたものである。又、請求項に記載された発明では手段を有する（設けた・備えた）特徴の上記記載の少なくても何れか１つ記載とする特徴（製品）の、請求項１乃至、請求項４の少なくても何れか１つ記載の請求項。に於いて、 該特徴は何れか１つ記載の特徴又は複数の記載の特徴をも含み、該特徴及び該請求項等は複数或いは交差記載の特徴・製品となす事が出来る。
【実施例１８】
【００６２】
本実施例の図１８は、股下の足股に関与する箇所の多重層に、該多重層に柔軟変化する形状を設定例えば伸び縮みするゴムを二重又は多重に設定するその二重多重内に、襞襞（ヒダヒダ）を設定する手段を設ける事を特徴とする 。 該特徴は多重層の構成のみ為らず、普通の生理用品例えばオムツに於いても、股下の足股に関与する箇所のみに於いて、この多重層構造を為すことが出来る。該構造の多数ヒダヒダが汚物を途中シャットダウン又は吸収し、又伸び縮みするゴムの二重は、股間股下を締め付けてオムツからの汚物の漏れ・流失を防ぐ。
【実施例１９】
【００６３】
本実施例の図１９は、股下の足股に関与する箇所の多重層を、柔軟に変化する形状・状態とするその内側にギザギザを設定する手段を設ける事を特徴とする。
【００６４】
該特徴は多重層の構成のみ為らず、単独に股下の足股に関与する箇所のみに於いて、この構造を為すことが出来る。該構造の多数ギザギザが汚物を途中シャットダウン又は吸収し、オムツからの汚物の漏れ・流失を防ぐ。
【実施例２０】
【００６５】
本実施例の図２０は、股下の足股に関与する箇所の多重層に、凸凹を設定する手段を設ける事を特徴とする
該特徴は多重層の構成のみ為らず、単独に股下の足股に関与する箇所のみに於いて、この構造を為すことが出来る。該構造の多数凸凹が汚物を途中シャットダウン又は吸収し、オムツからの汚物の漏れ・流失を防ぐ。凸凹形状は向き合いに構成しても良い
【実施例２１】
【００６６】
本実施例の図２１は、股下の足股に関与する箇所の多重層に、多重面を設定する手段を設ける事を特徴とする。多重面は折り畳み構造にしても良い（長さの調節も可能）。
【００６７】
折り畳み構造においては、該吸収するを増大する、又は、拡散する又は縮小する等をにて長さの調節も可能である機能を有する。該特徴は多重層の構成のみ為らず、通常のオムツに単独に該該機能構造を股下の足股に関与する箇所又は該必要とする箇所に、この構造を設定し為すことも出来る。該構造の多数多重面が汚物を途中シャットダウン又は吸収し、通常のオムツからの汚物の漏れ・流失を防ぐ。
【実施例２２】
【００６８】
本実施例の図２２は、股下の足股に関与する箇所の多重層に、多重線を設定する手段を設ける事を特徴とする。多重線は、折り目・折り畳み構造にしても良い。該特徴は多重線の構成のみ為らず、通常のオムツに単独に股下の足股に関与する箇所に於いて、この構造を為すことも出来る。該構造の多数多重線が汚物を途中シャットダウン又は吸収し、通常のオムツからの汚物の漏れ・流失を防ぐ。多重線は交差をさせた線でも良い
【実施例２３】
【００６９】
本実施例の図２３は、股下の足股に関与する箇所の多重層に、フリフリを設定する手段を設ける事を特徴とする。該特徴はフリフリの構成は、普通オムツ単独に股下の足股に関与する又その他の箇所に於いて、この構造を為すことが出来る。該構造の多数フリフリが汚物を途中シャットダウン又は吸収し、オムツからの汚物の漏れ・流失を防ぐ。多重線は交差をさせた線でも良い
【実施例２４】
【００７０】
本実施例の図２４は、本実施例の図２４は、股下の足股に関与する箇所の多重層に、多重線を設定する手段を設ける事を特徴とする。多重線は、多種多様の交差をさせる線を構成する。該構成において、吸収体等その他汚物流失を阻む機能を挿入・貼付・添付する構造にしても良い。該特徴は多重線の構成のみ為らず、通常のオムツに単独に股下の足股に関与する等他の箇所のみに於いても、この構造を為すことも出来る。該構造の多数多重線が汚物を途中シャットダウン又は吸収し、オムツからの汚物の漏れ・流失を防ぐ。多重線は交差をさせた線でも良い。
【実施例２５】
【００７１】
本実施例の図２５は、ペニス・肛門・又は陰門から排出する排泄物に対応する生理用品に於いて、該生理用品を多重層とする仕法の構造、又は該機能と為す・該多重層に形状を設定・該多重層に・固体、液体、又は気体を設定・該多重層内に流動形成する形状を設定・該多重層に柔軟変化する形状を設定・又は該多重内を拘束する形状を設定する手段を設けて、身体、汚物又は他の生理用品に対応する仕法を有する事を特徴とする。該生理用品の手段とする該１つの例として、多重層の層内外の臀部・腰当たりに位置する箇所に固定又は拘束する左側の形状した図において、そのワッカ内に固体・気体又は液体を注入・添付又は挿入してクッションと為しうる構造とし（真ん中にもう１つ円を設ける事によりクッション剤が移動可能な構造にする）身体に優しい状態の形状を設定する。又右側の形状した図において、多重層の層内の臀部・腰当たりに位置する箇所に固定又は拘束する円状形状を設定する。該円状形状の一部に円状の内外に極少通ずる道（通連孔）を設定して、該内外又は内に固体・気体又は液体を注入・挿入・添付又は貼付してクッション又は汚物の吸収と為し得るに当たり該固体・気体又は液体がその事態・状態に沿って該多重層内外又は内を適切に流動する形成と為す適当な形状を設定する。該構造は身体に優しい状態の形状と為り得る。臀部・腰当たりに位置する箇所 の他にも該構造を設定して現状に身体に即した状況例えば汚物の吸収又はクッションとする構造として優しい状態の形状と為り得る事が出来る。
【実施例２６】
【００７２】
本実施例の図２６は、本実施例の図２６は、ペニス・肛門・又は陰門から排出する排泄物に対応する生理用品に於いて、該生理用品を多重層とする仕法の構造、又は該機能と為す・左側に設定する丸い形状は、吸収紙或いは防水紙等を何枚も重ねた円形縁を接着・閉じて円内に空気を閉じこめてクッションにする構造である。右側は、エアクッションを設定してクッションにする構造である事項の該多重層の形状とした特徴の生理用品である。
【実施例２７】
【００７３】
本実施例の図２７は、本実施例の図２７は、ペニス・肛門・又は陰門から排出する排泄物に対応する生理用品に於いて、該生理用品を多重層とする仕法の構造、又は該機能である。該生理用品を上部と下部に分けその間にバイパスを設け、ハ型形状にて液流をなし又はバイパスに弁を設定する。
【実施例２８】
【００７４】
本実施例の図２８は、本実施例の図２８は、ペニス・肛門・又は陰門から排出する排泄物に対応する生理用品に於いて、該生理用品を多重層とする仕法の構造、又は該機能である。該生理用品を上部と下部に分ける仕組み・仕法にて、該生理用品の多重層機構に於ける、該機構に取り付け・取り外し・開閉・分離・分解・付着・係止・当着又は持着するを為すことが出来る。
【実施例２９】
【００７５】
本実施例の図２９は、本実施例の図２９は、ペニス・肛門・又は陰門から排出する排泄物に対応する生理用品に於いて、該生理用品を多重層とする仕法の構造、又は該機能である。該生理用品に補助当用製品を当着又は持着するを為すことが出来る。又該取り外す事が出来る。
【実施例３０】
【００７６】
本実施例の図３０は、本実施例の図３０は、ペニス・肛門・又は陰門から排出する排泄物に対応する生理用品に於いて、該生理用品を多重層とする仕法の構造、又は該機能である。該生理用品の上部身体入り口から下部股に関与する箇所又は股間から足股に関与する箇所（下部股に関与する箇所又は股間から足股に関与する箇所に開閉にして汚物保管部分の分離可能にした特徴を有した機能を取り外し・取り付け出来る手段を設けた係止部分の箇所を指す）迄を分解又は合成等の機能（中心に於いて上部から下部迄に続く単一面部を設定する。
【００７７】
該単一面部を包み込む、もう一方の二面を持つ面部の中に先に示した単一面部を挿入する。依って単一面部と二つの面を持つ該両面の面部はマジックテープ（商標）機能添付を構成し、これにより二つの面は密着して汚物の流失を防ぎ又オムツの開閉交換においても簡易に行うことが出来る。）を為す特徴を持つ。又下部股に関与する箇所又は股間から足股に関与する箇所（該箇所生理用品の該前・後ろ、又は該中央下部部分も含む）の取り外し・取り付け出来る手段を共に持つので（汚物所持・保持する機能部分）汚物を抱える部分を廃棄する事が簡易・清潔・保全にて出来る。
【実施例３１】
【００７８】
本実施例の図３１は、本実施例の図３１は、ペニス・肛門・又は陰門から排出する排泄物に対応する生理用品に於いて、該生理用品を多重層とする仕法の構造、又は該機能である。該生理用品の上部身体入り口から下部股に関与する箇所又は股間から足股に関与する箇所（該箇所とは、下部股に関与する箇所又は股間から足股に関与する箇所の部分周囲に開閉可能にして該周囲部分が汚物保管部分と為し該分離可能にした特徴を有した機能に於ける、該汚物保管部分を取り外し・取り付け出来る手段を設けた。該汚物保管部分を係止・付着分離・取り外し・取り付け又は当着することが出来る箇所を指す又下部とは下部股に関与する箇所又は股間から足股に関与する箇所における汚物保管部分の該箇所生理用品の該前・後ろ、又は該中央下部部分も含む）の分解又は合成等の機能である。又生理用品の上部身体入り口の前の中心の上部から下部の該汚物保管部分を係止・付着分離・取り外し・取り付け・当設・当接又は当着することが出来る箇所を指す箇所までを開閉可能にする（開閉に関与する分離・分解・係止・付着・持着・分離・取り外し・取り付け・当設・当接又は当着する機能構造）該開閉部分にチャック・ファスナー（商標）を当接して密着・開放の取り外し・取り付け自由自在の機能を装着する。又該開閉部分にチャック・ファスナー（商標）を当接した部分に当設部品を当接装着する。（当設部品とは該開閉部分の裏側に当て布・吸収紙・展着面品等の該関連・関与する部に当てて使用する部品・製品を云う）上記機能により汚物をシャットダウン又は吸収し、オムツからの汚物の漏れ・流失を防ぐ又汚物を抱える部分を廃棄する事が簡易・清潔・保全にて出来る。
【符号の説明】
【００７９】
１  お尻
２  足
３  ペニス
４  肛門
５  生理用品
６  多重層
７  蛇腹
８  ゴム
９  固体・気体又は液体
１０  二つの面
１１  チャック・ファスナー
１２  通連孔
１３  補助当用製品
【図１】
2011115599.tif 000003
【図２】
2011115599.tif 000004
【図３】
2011115599.tif 000005
【図４】
2011115599.tif 000006
【図５】
2011115599.tif 000007
【図６】
2011115599.tif 000008
【図７】
2011115599.tif 000009
【図８】
2011115599.tif 000010
【図９】
2011115599.tif 000011
【図１０】
2011115599.tif 000012
【図１１】
2011115599.tif 000013
【図１２】
2011115599.tif 000014
【図１３】
2011115599.tif 000015
【図１４】
2011115599.tif 000016
【図１５】
2011115599.tif 000017
【図１６】
2011115599.tif 000018
【図１７】
2011115599.tif 000019
【図１８】
2011115599.tif 000020
【図１９】
2011115599.tif 000021
【図２０】
2011115599.tif 000022
【図２１】
2011115599.tif 000023
【図２２】
2011115599.tif 000024
【図２３】
2011115599.tif 000025
【図２４】
2011115599.tif 000026
【図２５】
2011115599.tif 000027
【図２６】
2011115599.tif 000028
【図２７】
2011115599.tif 000029
【図２８】
2011115599.tif 000030
【図２９】
2011115599.tif 000031
【図３０】
2011115599.tif 000032
【図３１】
2011115599.tif 000033